(57)【要約】      （修正有）【課題】ユーザーが操作内容を確認可能な表示制御を行うことができる表示装置等を提供する。【解決手段】表示装置は、画像を表示する表示パネルと、表示パネルに出力される画像を保持するための指示入力を受け付ける入力部と、外部から入力される映像信号Ｖｄｉｓｐに基づいた画像データが記憶される保持領域５１と、表示パネルで表示される画像に対応する出力画像データが記憶される出力領域５２と、保持領域５１及び出力領域５２に記憶される画像データを制御する制御部１１とを備え、制御部１１は、外部からの保持領域５１に対する画像データの入力に優先して、当該指示入力に応じて保持領域５１に記憶される画像データの保持、画像データの更新及び画像データの範囲の少なくとも１つ以上を制御する。【選択図】図１２
2020118939.tif 000002
【特許請求の範囲】
【請求項１】
画像を表示する表示パネルと、
前記表示パネルに表示される画像を保持するための指示入力を受け付ける入力部と、
外部から入力される映像信号に基づいた画像データが記憶される第１記憶部と、
前記表示パネルに出力される画像に対応する出力画像データが記憶される第２記憶部と、
前記第１記憶部及び前記第２記憶部に記憶される画像データを制御する制御部とを備え、
前記制御部は、外部からの前記第１記憶部に対する画像データの継続的な更新入力に優先して、前記指示入力に応じて前記第１記憶部に記憶される画像データの保持、画像データの更新及び画像データの範囲の少なくとも１つ以上を制御する
表示装置。
【請求項２】
前記制御部は、前記第１記憶部に記憶されている画像データに画像処理を施して前記出力画像データを生成する画像処理部を備える
請求項１に記載の表示装置。
【請求項３】
前記表示パネルの表示面への操作を検出するタッチ検出部を備える
請求項２に記載の表示装置。
【請求項４】
前記入力部は、前記タッチ検出部に含まれる
請求項３に記載の表示装置。
【請求項５】
前記画像処理部は、前記タッチ検出部が検出した操作に応じて前記出力画像データの更新データを生成する
請求項３又は４に記載の表示装置。
【請求項６】
前記更新データは、前記表示面におけるスワイプ操作に対応した前記出力画像データである
請求項５に記載の表示装置。
【請求項７】
前記スワイプ操作に応じた前記出力画像データは、前記スワイプ操作前の前記出力画像データに対して前記スワイプ操作の方向に応じて表示範囲が移動した画像データである
請求項６に記載の表示装置。
【請求項８】
前記更新データは、前記表示面におけるピンチアウト操作に対応した前記出力画像データである
請求項５に記載の表示装置。
【請求項９】
前記ピンチアウト操作に対応した前記出力画像データは、前記ピンチアウト操作前の前記出力画像データが表示された前記表示面において前記ピンチアウト操作が行われた範囲を拡大した画像データである
請求項８に記載の表示装置。
【請求項１０】
前記更新データは、感光紙への露光に対応した前記出力画像データである
請求項５に記載の表示装置。
【請求項１１】
前記露光に対応した前記出力画像データは、前記映像信号に基づいた画像データの鏡像に対応する画像のデータである
請求項１０に記載の表示装置。
【請求項１２】
前記制御部は、前記更新データが前記第１記憶部に記憶されている画像データと一致するか判定する一致判定部を含む
請求項５から１１のいずれか一項に記載の表示装置。
【請求項１３】
感光紙に露光される画像を表示する表示パネルと、
前記表示パネルに表示される画像を保持するための指示入力を受け付ける入力部と、
外部から入力される映像信号に基づいた画像データが記憶される第１記憶部と、
前記表示パネルに出力される画像に対応する出力画像データが記憶される第２記憶部と、
前記第１記憶部及び前記第２記憶部に記憶される画像データを制御する制御部とを備え、
前記制御部は、外部からの前記第１記憶部に対する画像データの継続的な更新入力に優先して、前記指示入力に応じて前記第１記憶部に記憶される画像データの保持、画像データの更新及び画像データの範囲の少なくとも１つ以上を制御する
露光装置。
【発明の詳細な説明】
【技術分野】
【０００１】
本発明は、表示装置及び露光装置に関する。
【背景技術】
【０００２】
表示面に対する操作に応じて表示内容を変更するタッチパネル付きの表示装置が知られている（例えば特許文献１）。
【先行技術文献】
【特許文献】
【０００３】
【特許文献１】特開２０１０−１７６２３４号公報
【非特許文献】
【０００４】
【非特許文献１】田坂恒著「ＦＵＪＩＦＩＬＭインスタントカメラ「“チェキ”ｉｎｓｔａｘ  ｍｉｎｉ９０  ネオクラシック」の開発」、日本写真学会誌、日本国、日本写真学会、２０１５年８月６日発行、第７７巻、第３号、ｐ．２２６−２２８
【発明の概要】
【発明が解決しようとする課題】
【０００５】
操作に応じた表示内容の変更がユーザーに認識困難なほど高速な場合、操作内容が意図した通りの正しい内容であるかをユーザーが把握できないまま表示装置の表示制御に関する処理が進行してしまうことがある。
【０００６】
本発明は、上記の課題に鑑みてなされたもので、ユーザーが操作内容を確認可能な表示制御を行うことができる表示装置及び露光装置を提供することを目的とする。
【課題を解決するための手段】
【０００７】
本発明の一態様による表示装置は、画像を表示する表示パネルと、前記表示パネルに表示される画像を保持するための指示入力を受け付ける入力部と、外部から入力される映像信号に基づいた画像データが記憶される第１記憶部と、前記表示パネルで表示される画像に対応する出力画像データが記憶される第２記憶部と、前記第１記憶部及び前記第２記憶部に記憶される画像データを制御する制御部とを備え、前記制御部は、外部からの前記第１記憶部に対する画像データの継続的な更新入力に優先して、前記指示入力に応じて前記第１記憶部に記憶される画像データの保持、画像データの更新及び画像データの範囲の少なくとも１つ以上を制御する。
【０００８】
本発明の一態様による露光装置は、感光紙に露光される画像を表示する表示パネルと、前記表示パネルに表示される画像を保持するための指示入力を受け付ける入力部と、外部から入力される映像信号に基づいた画像データが記憶される第１記憶部と、前記表示パネルに出力される画像に対応する出力画像データが記憶される第２記憶部と、前記第１記憶部及び前記第２記憶部に記憶される画像データを制御する制御部とを備え、前記制御部は、外部からの前記第１記憶部に対する画像データの継続的な更新入力に優先して、前記指示入力に応じて前記第１記憶部に記憶される画像データの保持、画像データの更新及び画像データの範囲の少なくとも１つ以上を制御する。
【図面の簡単な説明】
【０００９】
【図１】図１は、実施形態１に係るタッチ検出機能付き表示装置の一構成例を表すブロック図である。
【図２】図２は、静電容量型タッチ検出方式の基本原理を説明するため、指が接触または近接していない状態を表す説明図である。
【図３】図３は、図２に示す指が接触または近接していない状態の等価回路の例を示す説明図である。
【図４】図４は、静電容量型タッチ検出方式の基本原理を説明するため、指が接触または近接した状態を表す説明図である。
【図５】図５は、図４に示す指が接触または近接した状態の等価回路の例を示す説明図である。
【図６】図６は、駆動信号及びタッチ検出信号の波形の一例を表す図である。
【図７】図７は、タッチ検出機能付き表示装置を実装したモジュールの一例を示す図である。
【図８】図８は、実施形態１に係るタッチ検出機能付き表示デバイスの概略断面構造を表す断面図である。
【図９】図９は、実施形態１に係るタッチ検出機能付き表示デバイスの画素配列を表す回路図である。
【図１０】図１０は、実施形態１に係るタッチ検出機能付き表示デバイスの駆動電極及びタッチ検出電極の一構成例を表す斜視図である。
【図１１】図１１は、表示装置に対する入力を受け付ける主要構成を示す模式図である。
【図１２】図１２は、制御部−ソースドライバ間で行われる画像処理に関する主要構成を示すブロック図である。
【図１３】図１３は、保持画像に対するタッチ操作の一例を示す模式図である。
【図１４】図１４は、拡大表示処理の仕組みを示す模式図である。
【図１５】図１５は、拡大処理前後の座標の関係例を示す模式図である。
【図１６】図１６は、スワイプ表示処理の仕組みを示す模式図である。
【図１７】図１７は、保持画像表示モード中に行われる画像拡大及びスワイプ表示の一例を示すタイミングチャートである。
【図１８】図１８は、表示装置で行われる処理の流れの一例を示すフローチャートである。
【図１９】図１９は、表示装置を利用する露光装置の主要構成を示す模式図である。
【図２０】図２０は、露光に利用される場合の表示装置の動作の流れを示すフローチャートである。
【図２１】図２１は、実施形態２に係る表示装置の要部構成例を示すブロック図である。
【図２２】図２２は、実施形態２に係る表示装置の表示モードの遷移例を示す図である。
【発明を実施するための形態】
【００１０】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
（実施形態１）
図１は、実施形態１に係るタッチ検出機能付き表示装置１の一構成例を表すブロック図である。タッチ検出機能付き表示装置１は、タッチ検出機能付き表示デバイス１０と、制御部１１と、ゲートドライバ１２と、ソースドライバ１３と、駆動電極ドライバ１４と、タッチ検出部４０とを備えている。このタッチ検出機能付き表示装置１は、タッチ検出機能付き表示デバイス１０がタッチ検出機能を内蔵した表示デバイスである。タッチ検出機能付き表示デバイス１０は、表示素子として液晶表示素子を用いている表示パネル２０と静電容量型のタッチ検出デバイス３０とを一体化した、いわゆるインセルタイプの装置である。なお、タッチ検出機能付き表示デバイス１０は、表示素子として液晶表示素子を用いている表示パネル２０の上に、静電容量型のタッチ検出デバイス３０を装着した、いわゆるオンセルタイプあるいはアウトセルタイプの装置であってもよい。
【００１２】
表示パネル２０は、後述するように、ゲートドライバ１２から供給される走査信号Ｖｓｃａｎに従って、１水平ラインずつ順次走査して表示を行うデバイスである。制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらが互いに同期して動作するように制御する回路である。
【００１３】
タッチ検出デバイス３０は、表示パネル２０の表示領域ＦＡに対するタッチ検出を行うタッチ部３０ａと、表示領域ＦＡとは異なる領域（例えば、表示領域ＦＡの隣接領域）のタッチ検出を行うボタン部３０ｂと、を有する。タッチ部３０ａは、平面視して（タッチ検出機能付き表示デバイス１０の主面に垂直な方向から視て）、表示パネル２０の表示領域ＦＡに重畳されている。ボタン部３０ｂは、平面視して、表示パネル２０の表示領域ＦＡ外、例えば額縁に配置されている。
【００１４】
ゲートドライバ１２は、制御部１１から供給される制御信号に基づいて、タッチ検出機能付き表示デバイス１０の表示駆動の対象となる１水平ラインを順次選択する機能を有している。
【００１５】
ソースドライバ１３は、制御部１１から供給される制御信号に基づいて、タッチ検出機能付き表示デバイス１０の、後述する各画素Ｐｉｘに画像信号Ｖｐｉｘを供給する回路である。
【００１６】
駆動電極ドライバ１４は、制御部１１から供給される制御信号に基づいて、タッチ検出機能付き表示デバイス１０の、後述する駆動電極ＶＣＯＭに駆動信号Ｖｃｏｍを供給する回路である。
【００１７】
（静電容量型タッチ検出の基本原理）
タッチ検出デバイス３０は、静電容量型タッチ検出の基本原理に基づいて動作し、タッチ検出信号Ｖｄｅｔを出力する。本発明においては、相互容量方式にてタッチ検出を行う。
【００１８】
図１〜図６を参照して、本実施形態のタッチ検出機能付き表示装置１におけるタッチ検出の基本原理について説明する。図２は、静電容量型タッチ検出方式の基本原理を説明するため、指が接触または近接していない状態を表す説明図である。図３は、図２に示す指が接触又は近接していない状態の等価回路の例を示す説明図である。図４は、静電容量型タッチ検出方式の基本原理を説明するため、指が接触または近接した状態を表す説明図である。図５は、図４に示す指が接触又は近接した状態の等価回路の例を示す説明図である。
【００１９】
例えば、図２及び図４に示すように、容量素子Ｃ１は、誘電体Ｄを挟んで互いに対向配置された一対の電極、駆動電極Ｅ１及びタッチ検出電極Ｅ２を備えている。図３に示すように、容量素子Ｃ１は、その一端が交流信号源（駆動信号源）Ｓに接続され、他端は電圧検出器（タッチ検出部）ＤＥＴに接続される。電圧検出器ＤＥＴは、例えば図１に示すアナログＬＰＦ（Low  Pass  Filter）部４２に含まれる積分回路である。
【００２０】
交流信号源Ｓから駆動電極Ｅ１（容量素子Ｃ１の一端）に所定の周波数（例えば数ｋＨｚ〜数百ｋＨｚ程度）の交流矩形波Ｓｇを印加すると、タッチ検出電極Ｅ２（容量素子Ｃ１の他端）側に接続された電圧検出器ＤＥＴを介して、出力波形（タッチ検出信号Ｖｄｅｔ）が現れる。なお、この交流矩形波Ｓｇは、後述するタッチ駆動信号Ｖｃｏｍｔに相当するものである。
【００２１】
指が接触（又は近接）していない状態（非接触状態）では、図２及び図３に示すように、容量素子Ｃ１に対する充放電に伴って、容量素子Ｃ１の容量値に応じた電流Ｉ０が流れる。図６に示すように、電圧検出器ＤＥＴは、交流矩形波Ｓｇに応じた電流Ｉ０の変動を電圧の変動（実線の波形Ｖ０）に変換する。
【００２２】
一方、指が接触（又は近接）した状態（接触状態）では、図４に示すように、指によって形成される静電容量Ｃ２がタッチ検出電極Ｅ２と接している又は近傍にあることにより、駆動電極Ｅ１及びタッチ検出電極Ｅ２の間にあるフリンジ分の静電容量が遮られ、容量素子Ｃ１の容量値よりも容量値の小さい容量素子Ｃ１’として作用する。そして、図５に示す等価回路でみると、容量素子Ｃ１’に電流Ｉ１が流れる。図６に示すように、電圧検出器ＤＥＴは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指などの外部からの近接する物体の影響に応じて変化することになる。なお、電圧検出器ＤＥＴは、波形Ｖ０と波形Ｖ１との電圧差分の絶対値｜ΔＶ｜を精度良く検出するため、回路内のスイッチングにより、交流矩形波Ｓｇの周波数に合わせて、コンデンサの充放電をリセットする期間ＲＥＳＥＴを設けた動作とすることがより好ましい。
【００２３】
図１に示すタッチ検出デバイス３０は、駆動電極ドライバ１４から供給される駆動信号Ｖｃｏｍ（後述するタッチ駆動信号Ｖｃｏｍｔ）に従って、１検出ブロックずつ順次走査してタッチ検出を行うようになっている。
【００２４】
タッチ検出デバイス３０は、複数の後述するタッチ検出電極ＴＤＬから、図３又は図５に示す電圧検出器ＤＥＴを介して、検出ブロックごとにタッチ検出信号Ｖｄｅｔを出力し、タッチ検出部４０のＡ／Ｄ変換部４３に供給するようになっている。タッチ検出電極ＴＤＬは、例えば、ＩＴＯ（Indium  Tin  Oxide）で形成されている。
【００２５】
タッチ検出部４０は、制御部１１から供給される制御信号と、タッチ検出機能付き表示デバイス１０のタッチ検出デバイス３０から供給されたタッチ検出信号Ｖｄｅｔに基づいて、タッチ検出デバイス３０に対するタッチ（上述した接触状態）の有無を検出し、タッチがある場合においてタッチ検出領域におけるその座標などを求める回路である。このタッチ検出部４０はアナログＬＰＦ（Low  Pass  Filter）部４２と、Ａ／Ｄ変換部４３と、信号処理部４４と、座標抽出部４５と、検出タイミング制御部４６とを備えている。
【００２６】
アナログＬＰＦ部４２は、タッチ検出デバイス３０から供給されたタッチ検出信号Ｖｄｅｔを入力とし、タッチ検出信号Ｖｄｅｔに含まれる高い周波数成分（ノイズ成分）を除去し、タッチ成分を取り出してそれぞれ出力する低域通過アナログフィルタである。アナログＬＰＦ部４２の入力端子のそれぞれと接地との間には、直流電位（０Ｖ）を与えるための抵抗Ｒが接続されている。なお、この抵抗Ｒに代えて、例えばスイッチを設け、所定の時間にこのスイッチをオン状態にすることにより直流電位（０Ｖ）を与えるようにしてもよい。
【００２７】
Ａ／Ｄ変換部４３は、タッチ駆動信号Ｖｃｏｍｔに同期したタイミングで、アナログＬＰＦ部４２から出力されるアナログ信号をそれぞれサンプリングしてデジタル信号に変換する回路である。
【００２８】
信号処理部４４は、Ａ／Ｄ変換部４３の出力信号に含まれる、タッチ駆動信号Ｖｃｏｍｔをサンプリングした周波数以外の周波数成分（ノイズ成分）を低減するデジタルフィルタを備えている。信号処理部４４は、Ａ／Ｄ変換部４３の出力信号に基づいて、タッチ検出デバイス３０に対するタッチの有無を検出する論理回路である。信号処理部４４は、指による差分の電圧のみ取り出す処理を行う。この指による差分の電圧は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による差分の電圧を所定のしきい値電圧と比較し、このしきい値電圧以上であれば、外部から近接する外部近接物体の接触状態と判断し、しきい値電圧未満であれば、外部近接物体の非接触状態と判断する。このようにして、タッチ検出部４０はタッチ検出が可能となる。
【００２９】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００３０】
図７は、タッチ検出機能付き表示装置１を実装したモジュールの一例を示す図である。図７に示すように、タッチ検出機能付き表示装置１は、モジュールへ実装するにあたり、ガラス基板のＴＦＴ基板２１上に上述した駆動電極ドライバ１４を含んでももよい。
【００３１】
図７に示すように、タッチ検出機能付き表示装置１は、タッチ検出機能付き表示デバイス１０と、駆動電極ドライバ１４と、ＣＯＧ（Chip  On  Glass）１９Ａとを有している。このタッチ検出機能付き表示デバイス１０は、後述するＴＦＴ基板の表面に対する垂直方向（Ｚ方向）において、駆動電極ＶＣＯＭと、駆動電極ＶＣＯＭと立体交差するように設けられたタッチ検出電極ＴＤＬとを模式的に示している。この例では駆動電極ＶＣＯＭは、タッチ検出機能付き表示デバイス１０の短辺方向に延在し、長辺方向に配列されている。また、タッチ検出電極ＴＤＬは、タッチ検出機能付き表示デバイス１０の長辺方向に延在し、短辺方向に配列されている。駆動電極ＶＣＯＭ及び検出電極ＴＤＬは、対向基板３に設けられる（図８参照）が、少なくとも一方（例えば、駆動電極ＶＣＯＭ）が画素基板２に設けられてもよい。タッチ検出電極ＴＤＬの出力は、タッチ検出機能付き表示デバイス１０の短辺側に設けられ、フレキシブルプリント基板（ＦＰＣ：Flexible  Printed  Circuits）などにより構成された端子部Ｔを介して、このモジュールの外部に実装されたタッチ検出部４０と接続されている。駆動電極ドライバ１４は、ガラス基板であるＴＦＴ基板２１に形成されている。ＣＯＧ１９Ａは、ＴＦＴ基板２１に実装されたチップであり、図１に示した制御部１１、ゲートドライバ１２、ソースドライバ１３など、表示動作に必要な各回路を内蔵したものである。タッチ検出部４０は、ＣＯＧ１９Ａに内蔵されてもよい。
【００３２】
また、タッチ検出機能付き表示デバイス１０は、タッチ部３０ａと、ボタン部３０ｂと、を有している。ボタン部３０ｂには、短辺方向に形成された駆動電極ＶＣＯＭが、タッチ部３０ａと同様に形成されている。また、ボタン部３０ｂには、複数のタッチ検出電極ＴＤＬのうち、タッチ検出電極ＴＤＬａ〜ＴＤＬｃが延在している。なお、以下の説明では、駆動電極ＶＣＯＭの長手方向をＸ方向とし、タッチ検出電極ＴＤＬの長手方向をＹ方向とし、Ｘ方向及びＹ方向に直交する方向をＺ方向とするが、Ｘ方向とＹ方向の定義は逆でもよい。
【００３３】
タッチ検出機能付き表示装置１は、タッチ検出動作の際に、駆動電極ＶＣＯＭに駆動信号Ｖｃｏｍを順次印加することにより、１検出ラインずつ順次走査が行われる。つまり、タッチ検出機能付き表示装置１は、タッチ検出走査を、タッチ検出機能付き表示デバイス１０の長辺方向に行う。
【００３４】
このように、図７に示すタッチ検出機能付き表示装置１は、タッチ検出信号Ｖｄｅｔを、タッチ検出機能付き表示デバイス１０の短辺側から出力する。これにより、タッチ検出機能付き表示装置１は、タッチ検出電極ＴＤＬの本数を少なくすることができ、端子部Ｔを介してタッチ検出部４０に接続する際の配線の引き回しが容易になる。
【００３５】
なお、図７では、タッチ検出走査方向をタッチ部３０ａからボタン部３０ｂに向かう方向としている。つまり、タッチ部３０ａの検出を先に、ボタン部３０ｂの検出を後にしている。しかし、タッチ検出走査方向をボタン部３０ｂからタッチ部３０ａに向かう方向としても良い。つまり、ボタン部３０ｂの検出を先に、タッチ部３０ａの検出を後にしても良い。
【００３６】
次に、タッチ検出機能付き表示デバイス１０の構成例を詳細に説明する。
【００３７】
図８は、実施形態１に係るタッチ検出機能付き表示デバイス１０の概略断面構造を表す断面図である。図９は、実施形態１に係るタッチ検出機能付き表示デバイス１０の画素配列を表す回路図である。タッチ検出機能付き表示デバイス１０は、画素基板２と、この画素基板２の表面に垂直な方向に対向して配置された対向基板３と、画素基板２と対向基板３との間に挿設された液晶層６とを備えている。
【００３８】
画素基板２のタッチ部３０ａに対応する部分は、回路基板としてのＴＦＴ基板２１と、このＴＦＴ基板２１上にマトリックス状に配設された複数の画素電極２２とを有する。ＴＦＴ基板２１には、図９に示す各画素Ｐｉｘの薄膜トランジスタ（ＴＦＴ：Thin  Film  Transistor）素子Ｔｒ、各画素電極２２に画像信号Ｖｐｉｘを供給する画素信号線ＳＧＬ、各ＴＦＴ素子Ｔｒを駆動する走査信号線ＧＣＬ等の配線が形成されている。このように、画素信号線ＳＧＬは、ＴＦＴ基板２１の表面と平行な平面に延在し、画素Ｐｉｘに画像を表示するための画像信号Ｖｐｉｘを供給する。図９に示す表示パネル２０は、マトリックス状に配列した複数の画素Ｐｉｘを有している。画素Ｐｉｘは、ＴＦＴ素子Ｔｒ及び液晶ＬＣを備えている。ＴＦＴ素子Ｔｒは、薄膜トランジスタにより構成されるものであり、この例では、ｎチャネルのＭＯＳ（Metal  Oxide  Semiconductor）型のＴＦＴで構成されている。ＴＦＴ素子Ｔｒのソース又はドレインの一方は画素信号線ＳＧＬに接続され、ゲートは走査信号線ＧＣＬに接続され、ソース又はドレインの他方は液晶ＬＣの一端に接続されている。液晶ＬＣは、一端がＴＦＴ素子Ｔｒのソース又はドレインの他方に接続され、他端が駆動電極ＶＣＯＭに接続されている。
【００３９】
画素Ｐｉｘは、走査信号線ＧＣＬにより、表示パネル２０の同じ行に属する他の画素Ｐｉｘと互いに接続されている。走査信号線ＧＣＬは、ゲートドライバ１２と接続され、ゲートドライバ１２より走査信号Ｖｓｃａｎが供給される。また、画素Ｐｉｘは、画素信号線ＳＧＬにより、表示パネル２０の同じ列に属する他の画素Ｐｉｘと互いに接続されている。画素信号線ＳＧＬは、ソースドライバ１３と接続され、ソースドライバ１３より画像信号Ｖｐｉｘが供給される。さらに、画素Ｐｉｘは、駆動電極ＶＣＯＭにより、表示パネル２０の同じ行に属する他の画素Ｐｉｘと互いに接続されている。駆動電極ＶＣＯＭは、駆動電極ドライバ１４と接続され、駆動電極ドライバ１４より駆動信号Ｖｃｏｍが供給される。つまり、この例では、同じ一行に属する複数の画素Ｐｉｘが一本の駆動電極ＶＣＯＭを共有するようになっている。
【００４０】
図１に示すゲートドライバ１２は、走査信号Ｖｓｃａｎを、図９に示す走査信号線ＧＣＬを介して、画素ＰｉｘのＴＦＴ素子Ｔｒのゲートに印加することにより、表示パネル２０にマトリックス状に形成されている画素Ｐｉｘのうちの１行（１水平ライン）を表示駆動の対象として順次選択する。図１に示すソースドライバ１３は、画像信号Ｖｐｉｘを、図９に示す画素信号線ＳＧＬを介して、ゲートドライバ１２により順次選択される１水平ラインを構成する各画素Ｐｉｘにそれぞれ供給する。そして、これらの画素Ｐｉｘでは、供給される画像信号Ｖｐｉｘに応じて、１水平ラインの表示が行われるようになっている。図１に示す駆動電極ドライバ１４は、駆動信号Ｖｃｏｍを印加し、図８及び図９に示す、所定の本数の駆動電極ＶＣＯＭからなるブロックごとに駆動電極ＶＣＯＭを駆動する。
【００４１】
上述したように、表示パネル２０は、ゲートドライバ１２が走査信号線ＧＣＬを時分割的に線順次走査するように駆動することにより、１水平ラインが順次選択される。また、表示パネル２０は、１水平ラインに属する画素Ｐｉｘに対して、ソースドライバ１３が画像信号Ｖｐｉｘを供給することにより、１水平ラインずつ表示が行われる。この表示動作を行う際、駆動電極ドライバ１４は、その１水平ラインに対応する駆動電極ＶＣＯＭを含むブロックに対して駆動信号Ｖｃｏｍを印加するようになっている。
【００４２】
対向基板３は、ガラス基板３１と、このガラス基板３１の一方の面に形成されたカラーフィルタ３２と、ガラス基板３１とは反対側にあるカラーフィルタ３２の表面上に形成された複数の駆動電極ＶＣＯＭとを含む。ガラス基板３１の他方の面には、タッチ検出デバイス３０の検出電極であるタッチ検出電極ＴＤＬが形成され、さらに、このタッチ検出電極ＴＤＬの上には、偏光板３５が配設されている。
【００４３】
カラーフィルタ３２は、例えば赤（Ｒ）、緑（Ｇ）、青（Ｂ）の３色に着色されたカラーフィルタを周期的に配列して、上述した図９に示す各画素ＰｉｘにＲ、Ｇ、Ｂの３色が１組として対応付けられている。カラーフィルタ３２は、ＴＦＴ基板２１と垂直な方向において、液晶層６と対向する。なお、カラーフィルタ３２は、異なる色に着色されていれば、他の色の組み合わせであってもよい。
【００４４】
なお、カラーフィルタ３２は、異なる色に着色されていれば、他の色の組み合わせであってもよい。一般に、カラーフィルタ３２は、緑（Ｇ）の色領域の輝度が、赤（Ｒ）の色領域及び青（Ｂ）の色領域の輝度よりも高い。カラーフィルタ３２は、無くてもよく、この場合白色となる。あるいは、カラーフィルタ３２に光透過性の樹脂を用いて白色としてもよい。
【００４５】
本実施形態に係る駆動電極ＶＣＯＭは、表示パネル２０の共通駆動電極として機能するとともに、タッチ検出デバイス３０の駆動電極としても機能する。本実施形態では、一つの駆動電極ＶＣＯＭが一つの画素電極２２（一行を構成する画素電極２２）に対応するように配置されている。実施形態１に係る駆動電極ＶＣＯＭは、ＴＦＴ基板２１の表面に対する垂直方向において、画素電極２２に対向し、上述した走査信号線ＧＣＬが延在する方向と平行な方向に延在している。駆動電極ＶＣＯＭは、図示しない導電性を有するコンタクト導電柱を介して、駆動電極ドライバ１４から駆動電極ＶＣＯＭに駆動信号Ｖｃｏｍが印加されるようになっている。
【００４６】
液晶層６は、電界の状態に応じてそこを通過する光を変調するものであり、例えば、ＴＮ（Twisted  Nematic：ツイステッドネマティック）、ＶＡ（Vertical  Alignment：垂直配向）、ＥＣＢ（Electrically  Controlled  Birefringence：電界制御複屈折）等の各種モードの液晶が用いられる。
【００４７】
なお、液晶層６と画素基板２との間、及び液晶層６と対向基板３との間には、それぞれ配向膜が配設され、また、画素基板２の下面側には入射側偏光板が配置されてもよい。
【００４８】
また、画素基板２及び対向基板３のボタン部３０ｂに対応する部分は、ボタンタッチ入力の検出だけを行い画像表示を行わないので、図８に示すように、ボタンタッチ入力の検出に使用される駆動電極ＶＣＯＭ及びタッチ検出電極ＴＤＬが形成されており、画像表示に使用されるＴＦＴ素子Ｔｒ、画素信号線ＳＧＬ、走査信号線ＧＣＬ等は形成されていない。なお、ボタン部３０ｂのカラーフィルタ３２は、黒色としても良いし、無くても良い。
【００４９】
図１０は、実施形態１に係るタッチ検出機能付き表示デバイス１０の駆動電極ＶＣＯＭ及びタッチ検出電極ＴＤＬの一構成例を表す斜視図である。タッチ検出デバイス３０は、対向基板３に設けられた、駆動電極ＶＣＯＭ及びタッチ検出電極ＴＤＬにより構成されている。駆動電極ＶＣＯＭは、図の左右方向に延在する複数のストライプ状の電極パターンに分割されている。タッチ検出動作を行う際は、各電極パターンには、駆動電極ドライバ１４によって駆動信号Ｖｃｏｍが順次供給され、後述するように時分割的に線順次走査駆動が行われるようになっている。タッチ検出電極ＴＤＬは、駆動電極ＶＣＯＭの電極パターンの延在方向と交差する方向に延びるストライプ状の電極パターンから構成されている。そして、タッチ検出電極ＴＤＬは、ＴＦＴ基板２１の表面と垂直な方向において、駆動電極ＶＣＯＭと対向している。タッチ検出電極ＴＤＬの各電極パターンは、タッチ検出部４０のアナログＬＰＦ部４２の入力にそれぞれ接続されている。駆動電極ＶＣＯＭとタッチ検出電極ＴＤＬにより互いに交差した電極パターンは、その交差部分に静電容量を生じさせている。
【００５０】
この構成により、タッチ検出デバイス３０では、タッチ検出動作を行う際、駆動電極ドライバ１４が駆動電極ブロックとして時分割的に線順次走査するように駆動することにより、駆動電極ＶＣＯＭの１検出ブロックが順次選択され、タッチ検出電極ＴＤＬからタッチ検出信号Ｖｄｅｔを出力することにより、１検出ブロックのタッチ検出が行われるようになっている。つまり、駆動電極ブロックは、上述したタッチ検出の基本原理における駆動電極Ｅ１に対応し、タッチ検出電極ＴＤＬは、タッチ検出電極Ｅ２に対応するものであり、タッチ検出デバイス３０はこの基本原理に従ってタッチを検出するようになっている。図１０に示すように、タッチ部３０ａでは、互いに交差した電極パターンは、静電容量式タッチセンサをマトリックス状に構成している。よって、タッチ検出デバイス３０のタッチ検出面全体にわたって走査することにより、外部近接物体の接触または近接が生じた位置の検出も可能となっている。
【００５１】
また、図１０に示す例では、ボタン部３０ｂでは、１本の駆動電極ＶＣＯＭと、３本のタッチ検出電極ＴＤＬａ〜ＴＤＬｃと、が交差しているが、ボタン部３０ｂにおける駆動電極ＶＣＯＭとタッチ検出電極ＴＤＬの数は任意である。
【００５２】
図１１は、タッチ検出機能付き表示装置１に対する入力を受け付ける主要構成を示す模式図である。タッチ検出機能付き表示装置１は、ボタン部３０ｂに設けられた保持ボタン機能部Ｂ１及び保持解除ボタン機能部Ｂ２を有する。また、タッチ検出機能付き表示装置１は、電源スイッチＰＳＷを有する。また、上述のタッチ部３０ａは、タッチ検出機能付き表示装置１に対する入力を受け付ける一構成である。特筆しない限り、タッチ検出デバイス３０に対する入力とは、タッチ部３０ａに対する入力である。
【００５３】
保持ボタン機能部Ｂ１は、表示パネル２０に表示される画像を保持することを指示入力するためのタッチ検出領域である。保持解除ボタン機能部Ｂ２は、保持ボタン機能部Ｂ１に対する入力指示に応じて保持された画像の保持を解除することを指示入力するためのタッチ検出領域である。電源スイッチＰＳＷは、タッチ検出機能付き表示装置１の電源ＯＮ／ＯＦＦを切り替えるスイッチである。
【００５４】
実施形態では、保持ボタン機能部Ｂ１と保持解除ボタン機能部Ｂ２の区別は、ボタン部３０ｂにおけるタッチ操作位置の相違によって行われる。ボタン部３０ｂにおけるタッチ操作位置と保持ボタン機能部Ｂ１と保持解除ボタン機能部Ｂ２との区別は、後述するタイミングコントローラ１１０（図１２参照）から読み出し可能なタッチ操作位置の座標管理のためのデータによって予め決定されている。当該データは、タイミングコントローラ１１０から読み出し可能な図示しない不揮発性のメモリに記憶される。図１１を参照して説明した保持ボタン機能部Ｂ１及び保持解除ボタン機能部Ｂ２は、ボタン部３０ｂのタッチ検出機能を利用した構成であるが、電源スイッチＰＳＷと同様に保持ボタン機能部Ｂ１、保持解除ボタン機能部Ｂ２に個別に物理的なスイッチを設けてもよい。
【００５５】
図１２は、制御部１１−ソースドライバ１３間で行われる画像処理に関する主要構成を示すブロック図である。制御部１１は、タイミングコントローラ１１０を有する。タイミングコントローラ１１０は、映像信号Ｖｄｉｓｐ、信号出力Ｖｏｕｔ等の入力タイミングに応じてソースドライバ１３に対する画像信号Ｖｐｉｘの入力タイミング及びゲートドライバ１２による画素Ｐｉｘの駆動タイミング等を制御する。
【００５６】
また、実施形態のタイミングコントローラ１１０は、画像処理部１１１を有する。画像信号Ｖｐｉｘの元になる画像データに関する各種の処理を行う。画像処理部１１１は、拡大処理部１１１ａ、スワイプ処理部１１１ｂ、スワイプシフト処理部１１１ｃ、一致判定部１１１ｄ等を含む。これらの機能については後述する。
【００５７】
画像処理部１１１は、ＶＲＡＭ（Video  Random  Access  Memory）５０に記憶されている画像のデータを処理対象とする。５０は、保持領域５１と、出力領域５２とを含む。保持領域５１には、初期全体画像５１ａ、スワイプ範囲画像５１ｂ、スワイプ部分画像５１ｃが記憶されうる。これらの画像の詳細については後述する。
【００５８】
出力領域５２には、変換後画像５２ａが記憶される。変換後画像５２ａは、画像処理部１１１による画像処理後の画像であり、表示パネル２０の表示出力内容に対応する画像である。ソースドライバ１３に出力される画像信号Ｖｐｉｘは、変換後画像５２ａに基づいた信号である。
【００５９】
以下、表示出力に関してタイミングコントローラ１１０が行う各種の処理及び当該処理に応じた表示出力内容について説明する。通常、予め定められた毎秒のフレーム数（ＦＰＳ：Frames  Per  Second）に応じて、フレーム画像が周期的に映像信号Ｖｄｉｓｐとして入力される。タイミングコントローラ１１０は、保持ボタン機能部Ｂ１の操作が行われた場合の保持画像表示モードになっていない限り、映像信号Ｖｄｉｓｐとして入力されたフレーム画像で初期全体画像５１ａを更新する。初期全体画像５１ａは、フレーム画像のデータ量に対応した記憶容量を割り当てられている。保持画像表示モードでない通常の場合、変換後画像５２ａは、初期全体画像５１ａによる表示出力内容そのままの表示出力内容が反映されたデータになる。すなわち、通常の場合、映像信号Ｖｄｉｓｐの入力に応じた表示出力内容の更新が行われる。なお、保持画像表示モードでない場合、上述のように初期全体画像５１ａによる表示出力内容そのままの表示出力内容が反映されてもよいし、後述する平均化処理等の各種変換処理を行って反映してもよい。
【００６０】
このように、初期全体画像５１ａを含む保持領域５１は、外部から入力される映像信号Ｖｄｉｓｐに基づいた画像のデータが記憶される第１記憶部として機能する。また、出力領域５２は、表示パネル２０で表示される画像に対応する出力画像のデータが記憶される第２記憶部として機能する。表示パネル２０には、アナログデータである画像データの容量を保持するため、表示領域ＦＡの垂直同期周波数に合わせて、繰り返し高速にフレーム画像の全画面データを読み出すパネルリフレッシュ動作が必要とされる。ＶＲＡＭ５０は、ＤＲＡＭ（Dynamic  Random  Access  Memory）で構成されていてタイミングコントローラ１１０の管理下にあって、このパネルリフレッシュ動作に使用可能なパネル直近の画像メモリー空間として機能する。
【００６１】
一方、保持ボタン機能部Ｂ１に対する操作が行われたことを示す信号出力Ｖｏｕｔが入力された場合、タイミングコントローラ１１０は、保持画像表示モードに移行する。保持画像表示モードになった場合、タイミングコントローラ１１０は、初期全体画像５１ａに記憶されている画像データを保持させる。すなわち、ＦＰＳに応じた画像の更新を停止する。保持画像表示モードの場合、さらなる操作が行われない限り、変換後画像５２ａは、初期全体画像５１ａで保持されている表示出力内容が反映されたデータになる。これによって、さらなる操作が行われない限り、表示パネル２０には保持ボタン機能部Ｂ１に対する操作が行われたタイミングで表示されていた画像が維持される。
【００６２】
このように、保持ボタン機能部Ｂ１は、表示パネル２０に表示される画像を保持するための指示入力を受け付ける入力部として機能する。また、タイミングコントローラ１１０を含む制御部１１は、当該指示入力に応じて初期全体画像５１ａに記憶されている画像データを保持させる。また、タッチ検出機能付き表示装置１は、表示パネル２０の表示面への操作を検出するタッチ検出デバイス３０を備える。実施形態の保持ボタン機能部Ｂ１は、タッチ検出デバイス３０に含まれる。
【００６３】
また、保持ボタン機能部Ｂ１に対する操作が行われた後に保持解除ボタン機能部Ｂ２に対する操作が行われた信号出力Ｖｏｕｔが入力された場合、タイミングコントローラ１１０は、保持画像表示モードを解除して通常の表示モードに移行する。すなわち、映像信号Ｖｄｉｓｐの入力に応じた表示出力内容の更新が行われる状態に戻る。
【００６４】
以下、保持画像表示モード中に行われるタッチ操作に応じた各種の処理及び当該処理に応じた表示出力内容について、図１３から図１７を参照して説明する。
【００６５】
図１３は、保持画像に対するタッチ操作の一例を示す模式図である。保持画像は、保持画像表示モード中に表示されているフレーム画像である。保持画像は、表示パネル２０の表示領域ＦＡ全体を用いて表示される。
【００６６】
タッチ検出機能付き表示装置１は、保持画像の表示中、保持画像内で拡大したい部分画像ＬＡを選択可能に設けられている。具体的には、図１３で例示するように、表示パネル２０の表示領域ＦＡの全域を用いて表示された保持画像内の任意の部分画像ＬＡを選択可能に設けられている。矩形状の部分画像ＬＡの選択は、部分画像ＬＡの４頂点の座標ｘｙ１，ｘｙ２，ｘｙ３，ｘｙ４のうち、対角に位置する２頂点の組み合わせを含む２頂点以上の座標に対するタッチ操作によって行われる。このような４頂点の座標ｘｙ１，ｘｙ２，ｘｙ３，ｘｙ４のうち２頂点以上の座標に対するタッチ操作が行われたことを示す信号出力Ｖｏｕｔが入力された場合、タイミングコントローラ１１０は、保持画像の拡大表示が指示されたものとして、拡大処理部１１１ａに拡大表示処理を行わせる。なお、座標ｘｙ１，ｘｙ２，ｘｙ３，ｘｙ４を含め、画像における座標とは、例えば画像においてマトリクス状に配置された複数の画素のいずれかの位置をさすものであってもよいし、画素とは独立して管理されるパラメータであってもよい。
【００６７】
また、タッチ検出機能付き表示装置１は、部分画像ＬＡを初期の拡大表示内容として、部分画像ＬＡの拡大表示範囲をスワイプ移動可能に設けられている。具体的には、図１３における部分画像ＬＡ内の２点ｘｙ２１−ｘｙ２２で例示するように、線分の両端となる２点間をＹ方向に摺動するタッチ操作（スワイプ操作）が行われたことを示す信号出力Ｖｏｕｔが入力された場合、タイミングコントローラ１１０は、保持画像のスワイプ表示が指示されたものとして、スワイプ処理部１１１ｂにスワイプ表示処理を行わせる。
【００６８】
また、タッチ検出機能付き表示装置１は、部分画像ＬＡ内をさらに拡大表示可能に設けられている。具体的には、拡大の対象となる矩形画像を中心とした対角線に沿う摺動のタッチ操作（ピンチアウト操作ＰＡ）が行われたことを示す信号出力Ｖｏｕｔが入力された場合、タイミングコントローラ１１０は、スワイプ表示中に表示されている画像の拡大表示が指示されたものとして、拡大処理部１１１ａに拡大表示処理を行わせる。図１３では、部分画像ＬＡ内でピンチアウト操作ＰＡによって拡大が指示された領域をピンチアウト選択領域ＭＡとして例示している。すなわち、ピンチアウト操作ＰＡが行われた場合、ピンチアウト選択領域ＭＡが表示領域ＦＡいっぱいに拡大される。なお、部分領域ＬＡ、ピンチアウト選択領域ＭＡのような拡大の対象とする領域の指定がある場合、拡大の対象が元の画像（拡大前の画像）の任意のエリアに埋め込まれた変換画像であってもよい。
【００６９】
図１４は、拡大表示処理の仕組みを示す模式図である。拡大処理部１１１ａは、拡大表示処理として、部分画像ＬＡの４頂点の座標ｘｙ１，ｘｙ２，ｘｙ３，ｘｙ４と、表示パネル２０の表示領域ＦＡの４頂点の座標ｘｙ１１，ｘｙ１２，ｘｙ１３，ｘｙ１４とを対応させるように部分画像ＬＡ内の画像を拡大する処理を行う。拡大処理部１１１ａが画像の拡大に際して行う具体的な処理は、例えば、ニアレストネイバー法、バイリニア法、バイキュービック法のいずれかを採用した画像補間処理を伴う画像の拡大処理であるが、これらに限られるものでなく、頂点間の画素の数の差（画像のデータにおける画素の数と画素Ｐｉｘの数との差）を補間可能な画像の拡大処理であればよい。
【００７０】
拡大処理部１１１ａは、画像の拡大に際して部分画像ＬＡ内の画像に歪みを生じさせることなく部分画像ＬＡを表示領域ＦＡに対応させるよう拡大する。具体的には、座標ｘｙ１と座標ｘｙ２との中間点の座標ｘｙ５は、座標ｘｙ１１と座標ｘｙ１２との中間点の座標ｘｙ１５に対応する状態になる。また、座標ｘｙ１と座標ｘｙ３との中間点の座標ｘｙ６は、座標ｘｙ１１と座標ｘｙ１３との中間点の座標ｘｙ１６に対応する状態になる。また、座標ｘｙ２と座標ｘｙ４との中間点の座標ｘｙ７は、座標ｘｙ１２と座標ｘｙ１４との中間点の座標ｘｙ１７に対応する状態になる。また、座標ｘｙ３と座標ｘｙ４との中間点の座標ｘｙ８は、座標ｘｙ１３と座標ｘｙ１４との中間点の座標ｘｙ１８に対応する状態になる。また、座標ｘｙ５と座標ｘｙ８とを結ぶ直線と座標ｘｙ６と座標ｘｙ７とを結ぶ直線との交差点の座標ｘｙ９は、座標ｘｙ１５と座標ｘｙ１８とを結ぶ直線と座標ｘｙ１６と座標ｘｙ１７とを結ぶ直線との交差点の座標ｘｙ１９に対応する状態になる。
【００７１】
このように、拡大処理部１１１ａは、拡大前後の座標を示すアドレッシングの管理によって拡大表示処理を行える。拡大前の部分画像ＬＡの４頂点の座標ｘｙ１，ｘｙ２，ｘｙ３，ｘｙ４の集合で囲まれた任意の座標を｛ｍ，ｎ｝とし、拡大後の表示領域ＦＡの４頂点の座標ｘｙ１１，ｘｙ１２，ｘｙ１３，ｘｙ１４で囲まれた任意の座標を｛ｉ，ｊ｝とする矩形対矩形の場合、Ｘ座標、Ｙ座標は独立に換算できる（ｍ＝Ｘ（ｉ）,ｎ＝Ｙ（ｊ））。ここで、Ｘ,Ｙは有理数係数の一次変換後整数化した関数である。拡大処理部１１１ａは、Ｘ行とＹ列の一次元変換テンプレートを一度計算すれば、二次元変換｛ｍ（ｉ）,ｎ（ｊ）｝の組み合わせを生成できる。拡大処理部１１１ａは、アドレス｛ｍ（ｉ）,ｎ（ｊ）｝が示す画素値にアクセスすることで拡大表示を行う。各座標｛ｍ，ｎ｝はメモリ上のアドレスとされ、拡大処理後に座標｛ｉ,ｊ｝に対して元画像値｛ｍ（ｉ，ｊ），ｎ（ｉ，ｊ）｝に割り付けられる。
【００７２】
図１５は、拡大処理前後の座標の関係例を示す模式図である。拡大処理部１１１ａは、例えば、拡大前の画像の座標と拡大後の画像の座標が入っている仮想的な図面を作成し、拡大前の画像の座標は縦横格子状の実線Ｌ１、拡大後の画像の座標は縦横格子状の点線Ｌ２等にして、拡大したときの点線Ｌ２の交差部が最も近い実線Ｌ１の交差部に割り当てられる。
【００７３】
保持画像は、ホールドフレームとして初期全体画像５１ａに保持されている。ここでいうホールドフレームとは、保持ボタン機能部Ｂ１、保持解除ボタン機能部Ｂ２に対する指示入力に応じて、外部からの保持領域５１に対する画像データの入力に優先してタイミングコントローラ１１０が保持、更新を制御する場合の「保持」に対応するフレーム画像である。拡大前の部分画像ＬＡの画像は、当該ホールドフレームに含まれる。拡大処理部１１１ａは、上述の拡大表示処理後の画像データを変換後画像５２ａとして出力する。従って、ソースドライバ１３には、拡大表示処理後の画像が表示領域ＦＡ全体に表示される。なお、拡大表示処理後の画像の表示領域は表示領域ＦＡに限られるものでない。例えば、拡大処理部１１１ａは、拡大された部分画像（例えば、部分領域ＬＡ又はピンチアウト選択領域ＭＡ）が拡大前の画像の任意のエリアに埋め込まれるように拡大処理を行った変換画像を表示させるようにしてもよい。
【００７４】
なお、上述では画像に歪みを生じさせない拡大について説明しているが、拡大処理部１１１ａの処理として、歪みを意図的に発生させる画像の拡大処理を採用してもよい。
【００７５】
図１６は、スワイプ表示処理の仕組みを示す模式図である。スワイプ処理部１１１ｂは、スワイプ操作（例えば、２点ｘｙ２１−ｘｙ２２の摺動操作）が行われた場合、スワイプ表示の対象となった保持画像内の部分画像（例えば、部分画像ＬＡ）をスワイプ操作に応じてシフトさせる処理を行う。具体的には、スワイプ処理部１１１ｂは、図１６に示す部分画像ＬＡを起点として、スワイプ方向に応じて部分画像ＬＡの外側の画像（例えば、シフト追加画像ＳＡ）を保持画像（初期全体画像５１ａ）から部分的に取得して表示対象とする。より具体的な例を挙げると、点ｘｙ２１を起点として点ｘｙ２２に向かうスワイプ操作が行われた場合、スワイプ処理部１１１ｂは、部分画像ＬＡに対して、点ｘｙ２１から点ｘｙ２２に向かう方向（図１６の上側から下側に向かう方向）に位置するシフト追加画像ＳＡを取得する。
【００７６】
スワイプ処理部１１１ｂは、スワイプ表示のスワイプシフト回数及び１回あたりのスワイプシフト量を決定する。スワイプシフト回数及び１回あたりのスワイプシフト量は、スワイプ操作において摺動が行われた２点ｘｙ２１−ｘｙ２２間の距離に応じてもよいし、予め定められてもよい。図１６を参照した説明では、１回目のスワイプシフト量ｓｙ１、２回目のスワイプシフト量ｓｙ２、３回目のスワイプシフト量ｓｙ３が設定され、３回のスワイプシフトを含むスワイプ表示が行われる場合を例示している。
【００７７】
図１６を参照した説明では、１回目のスワイプシフト量ｓｙ１と、２回目のスワイプシフト量ｓｙ２と、３回目のスワイプシフト量ｓｙ３は等しいが、スワイプ表示の進行に従って１回あたりのスワイプシフト量が変化してもよい。
【００７８】
１回目のスワイプシフトによって、部分画像ＬＡの座標ｘｙ１−座標ｘｙ３間の表示内容が、座標ｘｙ１０１−座標ｘｙ３０１間にシフトする。同様に、部分画像ＬＡの座標ｘｙ２−座標ｘｙ４間の表示内容が、座標ｘｙ２０１−座標ｘｙ４０１間にシフトする。すなわち、表示パネル２０に表示される画像が、座標ｘｙ１，ｘｙ２，ｘｙ３，ｘｙ４を４頂点とする部分画像ＬＡから、座標ｘｙ１０１，ｘｙ２０１，ｘｙ３０１，ｘｙ４０１を４頂点とする１回目のスワイプシフト画像に更新される。１回目のスワイプシフト画像の表示内容は、座標ｘｙ１，ｘｙ２，ｘｙ１０１，ｘｙ２０１を４頂点とするシフト削除画像ＤＡ１を部分画像ＬＡから差し引き、座標ｘｙ３，ｘｙ４，ｘｙ３０１，ｘｙ４０１を４頂点とするシフト追加画像ＳＡ１を部分画像ＬＡに追加した画像になる。
【００７９】
１回目のスワイプシフト後に行われる２回目のスワイプシフトによって、部分画像ＬＡの座標ｘｙ１０１−座標ｘｙ３０１間の表示内容が、座標ｘｙ１０２−座標ｘｙ３０２間にシフトする。同様に、部分画像ＬＡの座標ｘｙ２０１−座標ｘｙ４０１間の表示内容が、座標ｘｙ２０２−座標ｘｙ４０２間にシフトする。すなわち、表示パネル２０に表示される画像が、座標ｘｙ１０１，ｘｙ２０１，ｘｙ３０１，ｘｙ４０１を４頂点とする１回目のスワイプシフト画像から、座標ｘｙ１０２，ｘｙ２０２，ｘｙ３０２，ｘｙ４０２を４頂点とする２回目のスワイプシフト画像に更新される。２回目のスワイプシフト画像の表示内容は、座標ｘｙ１０１，ｘｙ２０１，ｘｙ１０２，ｘｙ２０２を４頂点とするシフト削除画像ＤＡ２を１回目のスワイプシフト画像から差し引き、座標ｘｙ３０１，ｘｙ４０１，ｘｙ３０２，ｘｙ４０２を４頂点とするシフト追加画像ＳＡ２を１回目のスワイプシフト画像に追加した画像になる。
【００８０】
２回目のスワイプシフト後に行われる３回目のスワイプシフトによって、部分画像ＬＡの座標ｘｙ１０２−座標ｘｙ３０２間の表示内容が、座標ｘｙ１０３−座標ｘｙ３０３間にシフトする。同様に、部分画像ＬＡの座標ｘｙ２０２−座標ｘｙ４０２間の表示内容が、座標ｘｙ２０３−座標ｘｙ４０３間にシフトする。すなわち、表示パネル２０に表示される画像が、座標ｘｙ１０２，ｘｙ２０２，ｘｙ３０２，ｘｙ４０２を４頂点とする２回目のスワイプシフト画像から、座標ｘｙ１０３，ｘｙ２０３，ｘｙ３０３，ｘｙ４０３を４頂点とする３回目のスワイプシフト画像に更新される。３回目のスワイプシフト画像の表示内容は、座標ｘｙ１０２，ｘｙ２０２，ｘｙ１０３，ｘｙ２０３を４頂点とするシフト削除画像ＤＡ３を２回目のスワイプシフト画像から差し引き、座標ｘｙ３０２，ｘｙ４０２，ｘｙ３０３，ｘｙ３０３を４頂点とするシフト追加画像ＳＡ１を２回目のスワイプシフト画像に追加した画像になる。
【００８１】
図１６を参照した説明では、３回のスワイプシフトが行われる場合を例示しているが、４回以上であってもよいし、２回以下であってもよい。
【００８２】
スワイプシフト処理部１１１ｃは、シフト追加画像ＳＡ１，ＳＡ２，ＳＡ３を生成する。具体的には、スワイプシフト処理部１１１ｃは、スワイプ処理部１１１ｂが決定したスワイプシフト回数及び１回あたりのスワイプシフト量に応じて、座標ｘｙ３０１，ｘｙ４０１，ｘｙ３０２，ｘｙ４０２，ｘｙ３０３，ｘｙ３０３を求め、部分画像ＬＡとして指定された座標ｘｙ３，ｘｙ４との組み合わせでシフト追加画像ＳＡ１，ＳＡ２，ＳＡ３に対応する画像領域をそれぞれ特定して初期全体画像５１ａから切り出す。シフト追加画像ＳＡ１，ＳＡ２，ＳＡ３は、スワイプ部分画像５１ｃとして記憶される。
【００８３】
実施形態では、スワイプ処理が行われる場合、スワイプシフト前の画像（例えば、部分画像ＬＡ）がスワイプ範囲画像５１ｂとして記憶される。スワイプ処理部１１１ｂは、スワイプ表示の進行に従って、スワイプ範囲画像５１ｂとスワイプ部分画像５１ｃに記憶されたデータの組み合わせによってスワイプシフト画像を生成する。
【００８４】
実施形態では、スワイプ表示が行われる場合、表示内容をスワイプシフト後の画像からスワイプシフト前の画像に戻す処理が行われる。具体的には、スワイプ処理部１１１ｂは、３回目のスワイプシフト画像の表示後、３回目のスワイプシフト画像からシフト追加画像ＳＡ３を差し引き、シフト削除画像ＤＡ３を追加して２回目のスワイプシフト画像を生成する。また、スワイプ処理部１１１ｂは、２回目のスワイプシフト画像の表示後、２回目のスワイプシフト画像からシフト追加画像ＳＡ２を差し引き、シフト削除画像ＤＡ２を追加して１回目のスワイプシフト画像を生成する。また、スワイプ処理部１１１ｂは、スワイプ範囲画像５１ｂのデータ（部分画像ＬＡ）で１回目のスワイプシフト画像を差し替えてスワイプシフト前の画像に戻す。
【００８５】
このように、スワイプ処理部１１１ｂ及びスワイプシフト処理部１１１ｃは、スワイプ前後の座標を示すアドレッシングの管理によってスワイプ表示処理を行える。スワイプ前の部分画像ＬＡの４頂点の座標ｘｙ１，ｘｙ２，ｘｙ３，ｘｙ４で囲まれた任意の座標を｛ｍ，ｎ｝とすると、ｈ回目（１≦ｈ≦ｒ，ｒは２以上の自然数）のスワイプシフト後の画像の４頂点で囲まれた任意の座標は、｛ｍ＋ｓｈｉｆｔ＿ａ，ｎ＋ｓｈｉｆｔ＿ｂ｝と表せる。矩形対矩形の場合、上述と同様、Ｘ座標、Ｙ座標は独立に換算できる（ｍ＝Ｘ（ｉ）,ｎ＝Ｙ（ｊ））。拡大処理部１１１ａは、Ｘ行とＹ列の一次元変換テンプレートを一度計算すれば、二次元変換｛ｍ＋ｓｈｉｆｔ＿ａ，ｎ＋ｓｈｉｆｔ＿ｂ｝の組み合わせを生成できる。拡大処理部１１１ａは、アドレス｛ｍ（ｉ）,ｎ（ｊ）｝が示す画素値にアクセスすることでスワイプシフト表示を行う。
【００８６】
なお、部分画像ＬＡの拡大表示処理後にスワイプ表示が行われる場合、上述のアドレッシングでは、拡大処理部１１１ａによる拡大処理が常に伴う。すなわち、拡大処理部１１１ａは、スワイプ処理部１１１ｂが生成したスワイプシフト画像に拡大表示処理を施した画像のデータを変換後画像５２ａとして出力する。これによって、スワイプ表示の進行に従って、変換後画像５２ａは、部分画像ＬＡ、１回目のスワイプシフト画像の拡大画像、２回目のスワイプシフト画像の拡大画像、３回目のスワイプシフト画像の拡大画像のように内容が遷移する。これによって、スワイプ表示の進行に従って、表示パネル２０の表示領域ＦＡ全体を用いた表示内容が、部分画像ＬＡ、１回目のスワイプシフト画像、２回目のスワイプシフト画像、３回目のスワイプシフト画像のように遷移することで拡大を伴うスワイプ表示が実現される。表示内容をスワイプシフト後の画像からスワイプシフト前の画像に戻す処理についても同様であり、表示パネル２０の表示領域ＦＡ全体を用いた表示内容が、３回目のスワイプシフト画像から、２回目のスワイプシフト画像、１回目のスワイプシフト画像、部分画像ＬＡのように遷移する。
【００８７】
また、スワイプ表示に伴って、スワイプ表示処理の対象とする画像を部分画像ＬＡからさらに限定する周辺画像除去処理を行ってもよい。図１６では、周辺画像除去処理によって、部分画像ＬＡのＸ方向の両端が縮小幅ＳＳだけ内側に狭められた除去後画像ＳＳＡになる場合を例示している。縮小幅ＳＳは、予め定められていてもよいし、部分画像ＬＡの内容に応じてタイミングコントローラ１１０内の構成（例えば、スワイプ処理部１１１ｂ又は専用に設けられた周辺画像除去部）が縮小幅ＳＳを決定するようにしてもよい。また、図１６ではＸ方向の周辺画像除去を例示しているが、Ｘ方向に加えてＹ方向の周辺画像除去も行ってもよいし、Ｙ方向の周辺画像除去のみを行ってもよい。
【００８８】
また、図１３及び図１６を参照した説明では、Ｙ方向のスワイプ表示について説明しているが、Ｘ方向又はＸ方向及びＹ方向に交差するＸ−Ｙ平面上の方向のスワイプ表示についてもスワイプシフト前後の座標の対応関係によって同様に処理できる。
【００８９】
なお、図１３のピンチアウト操作ＰＡのように、スワイプ表示中の拡大が指示された場合、拡大処理部１１１ａがさらに拡大表示処理を行って変換後画像５２ａを更新する。具体的には、拡大処理部１１１ａは、ピンチアウト操作ＰＡが行われた時点のスワイプシフト画像（例えば、１回目から３回目のスワイプシフト画像のいずれか）内で、ピンチアウト操作ＰＡが行われたピンチアウト選択領域ＭＡを図１４における部分画像ＬＡとして扱い、図１４を参照した説明と同様の処理で部分画像ＬＡ（＝ピンチアウト選択領域ＭＡ）を表示領域ＦＡに拡大する処理を行う。
【００９０】
図１７は、保持画像表示モード中に行われる画像拡大及びスワイプ表示の一例を示すタイミングチャートである。まず、タッチ操作によって部分画像ＬＡが指定される第１部分画像指定工程ＳＴＡが行われると、拡大処理部１１１ａが拡大表示処理を行う。これによって、表示パネル２０の表示領域ＦＡ全体を用いて表示される画像は、部分画像ＬＡの拡大画像ＳＬＡになる。
【００９１】
次に、スワイプ操作が行われると、スワイプ処理部１１１ｂは、スワイプ表示のスワイプシフト回数及び１回あたりのスワイプシフト量を決定する。１回目のスワイプシフト工程＋ｓｙ１では、スワイプ処理部１１１ｂが１回目のスワイプシフトを行う。また、拡大処理部１１１ａが拡大表示処理を行う。これによって、表示パネル２０の表示領域ＦＡ全体を用いて表示される画像は、１回目のスワイプシフト画像の拡大画像＋ＳＡ１になる。
【００９２】
２回目のスワイプ動作で行われる２回目のスワイプシフト工程＋ｓｙ２では、スワイプ処理部１１１ｂが２回目のスワイプシフトを行う。また、拡大処理部１１１ａが拡大表示処理を行う。これによって、表示パネル２０の表示領域ＦＡ全体を用いて表示される画像は、２回目のスワイプシフト画像の拡大画像＋ＳＡ２になる。３回目のスワイプ動作で行われる３回目のスワイプシフト工程＋ｓｙ３では、スワイプ処理部１１１ｂが３回目のスワイプシフトを行う。また、拡大処理部１１１ａが拡大表示処理を行う。これによって、表示パネル２０の表示領域ＦＡ全体を用いて表示される画像は、３回目のスワイプシフト画像の拡大画像＋ＳＡ３になる。
【００９３】
次に、ピンチアウト操作ＰＡによってピンチアウト選択領域ＭＡの拡大が指示される第２部分画像指定工程ＳＰＡが行われると、拡大処理部１１１ａが拡大表示処理を行う。これによって、表示パネル２０の表示領域ＦＡ全体を用いて表示される画像は、ピンチアウト選択領域ＭＡの拡大画像ＳＭＡになる。
【００９４】
次に、スワイプシフト後の画像をスワイプシフト前の画像に戻す処理が順次行われる。当該処理は、自動的に行われてもよい。具体的には、スワイプ処理部１１１ｂが２回目のスワイプシフトに対応する表示内容の生成を行う。また、拡大処理部１１１ａが拡大表示処理を行う。これによって、表示パネル２０の表示領域ＦＡ全体を用いて表示される画像は、３回目のスワイプシフト後の２回目のスワイプシフト画像の拡大画像−ＳＡ３になる。次に、スワイプ処理部１１１ｂが１回目のスワイプシフトに対応する表示内容の生成を行う。また、拡大処理部１１１ａが拡大表示処理を行う。これによって、表示パネル２０の表示領域ＦＡ全体を用いて表示される画像は、２回目のスワイプシフト後の１回目のスワイプシフト画像の拡大画像−ＳＡ２になる。次に、スワイプ処理部１１１ｂがスワイプシフト前に対応する表示内容（部分画像ＬＡ）への差替を行う。また、拡大処理部１１１ａが拡大表示処理を行う。これによって、表示パネル２０の表示領域ＦＡ全体を用いて表示される画像は、１回目のスワイプシフト後の部分画像ＬＡの拡大画像−ＳＡ１になる。
【００９５】
なお、上述の説明では、部分画像ＬＡを決定するタッチ操作と、スワイプ操作と、ピンチアウト操作ＰＡとが個別に行われた場合を例としているが、スワイプ操作及びピンチアウト操作ＰＡは仮想の動作であってもよい。すなわち、部分画像ＬＡを決定するタッチ操作があった時点で、画像処理部１１１は、自動的にスワイプ操作及びピンチアウト操作ＰＡが行われたものとして扱って図１７を参照して説明したタイミングチャートに従った表示制御を行ってもよい。
【００９６】
また、図１７を参照して説明した各工程間の時間は任意である。予め設定された経過時間が経過するごとに工程が自動的に進行するようにしてもよいし、何らかの操作（例えば、保持ボタン機能部Ｂ１の操作）が行われる毎に工程が進行するようにしてもよい。自動的に進行する場合、予め設定された経過時間を示すデータは、例えば、上述の不揮発性のメモリに記憶されている。
【００９７】
一致判定部１１１ｄは、拡大処理部１１１ａ、スワイプ処理部１１１ｂ及びスワイプシフト処理部１１１ｃが行う処理によって生成された画像の座標が正しいか判定する。具体的には、一致判定部１１１ｄは、例えばスワイプ範囲画像５１ｂ及びスワイプ部分画像５１ｃとして切り出された画像の座標が、部分画像ＬＡを決定するタッチ操作等のタッチ操作が行われた表示領域ＦＡ内の座標と初期全体画像５１ａとして保持されている保持画像（ホールドフレーム）内の座標との対応関係から導出される処理対象の座標と一致しているか判定する。一致しない場合、一致判定部１１１ｄは、エラーとして扱い、保持画像表示モード中の拡大表示処理、スワイプ表示処理等の画像の更新を停止させる。一致する場合、上述の拡大表示処理、スワイプ表示処理等が行われる。
【００９８】
このように、拡大処理部１１１ａ、スワイプ処理部１１１ｂ、スワイプシフト処理部１１１ｃを含む画像処理部１１１は、初期全体画像５１ａに記憶されている画像のデータに画像処理を施して出力画像のデータを生成する。画像処理部１１１は、タッチ検出デバイス３０が検出した操作に応じて出力画像を更新するデータを生成する。更新によって変換後画像５２ａに記憶されるデータは、例えば、図１６を参照して説明したように、スワイプ操作に対応した出力画像のデータである。また、更新によって変換後画像５２ａに記憶されるデータは、例えば、図１３、図１４及び図１７を参照して説明したように、ピンチアウト操作ＰＡに対応した出力画像のデータである。
【００９９】
図１８は、タッチ検出機能付き表示装置１で行われる処理の流れの一例を示すフローチャートである。タッチ検出機能付き表示装置１の電源ＯＮ後、外部入力、すなわち、映像信号Ｖｄｉｓｐの入力に応じたフレーム画像の更新が行われる（ステップＳ１）。タッチ検出機能付き表示装置１が電源ＯＦＦになった場合（ステップＳ２；Ｙｅｓ）、タッチ検出機能付き表示装置１の処理は終了する。タッチ検出機能付き表示装置１が電源ＯＦＦにならず（ステップＳ２；Ｎｏ）、表示保持入力がない場合、すなわち、保持ボタン機能部Ｂ１の操作がない場合（ステップＳ３；Ｎｏ）、ステップＳ１の処理に移行する。
【０１００】
表示保持入力があった場合、すなわち、保持ボタン機能部Ｂ１の操作があった場合（ステップＳ３；Ｙｅｓ）、タイミングコントローラ１１０は、初期全体画像５１ａに記憶されている画像データを保持させる。これによって、表示パネル２０には保持ボタン機能部Ｂ１に対する操作が行われたタイミングで表示されていた画像が維持される（ステップＳ４）保持画像表示モードに移行する。
【０１０１】
実施形態では、表示パネル２０を背面から照明する図示しないバックライトの節電が行われる。具体的には、第１所定時間、タッチ操作、電源ＯＦＦその他の等の割り込み入力がタッチ検出機能付き表示装置１に対して行われない場合（ステップＳ５；Ｙｅｓ）、バックライトの輝度の低減が行われる（ステップＳ６）。また、第１所定時間経過後にさらに第２所定時間、タッチ操作、電源ＯＦＦその他の等の割り込み入力がタッチ検出機能付き表示装置１に対して行われない場合（ステップＳ７；Ｙｅｓ）、バックライトがＯＦＦにされる（ステップＳ８）。このバックライト制御は、例えば制御部１１が行うが、専用の光源駆動制御回路が行ってもよい。
【０１０２】
ステップＳ５の処理で第１所定時間が経過する前に割り込み入力があった場合（ステップＳ５；Ｎｏ）又はステップＳ７の処理で第２所定時間が経過する前に割り込み入力があった場合（ステップＳ７；Ｎｏ）、割り込み入力が電源ＯＦＦであるとき（ステップＳ１０；Ｙｅｓ）、タッチ検出機能付き表示装置１の処理は終了する。
【０１０３】
ステップＳ１０の処理において割り込み入力が電源ＯＦＦでなく（ステップＳ１０；Ｎｏ）、保持解除ボタン機能部Ｂ２の操作であった場合（ステップＳ１１；Ｙｅｓ）、保持画像表示モードが解除されてステップＳ１の処理、すなわち、通常のフレーム画像の更新に移行する。
【０１０４】
ステップＳ１１の処理において割り込み入力が保持解除ボタン機能部Ｂ２の操作でなく（ステップＳ１１；Ｎｏ）、自動表示制御の開始条件を成立させる入力であった場合（ステップＳ１２；Ｙｅｓ）、画像処理部１１１は、図１３から図１７を参照して説明したような拡大表示処理、スワイプ表示処理等を含む自動表示制御を行う（ステップＳ１４）。自動表示制御の開始条件を成立させる入力は、例えば、部分画像ＬＡの４頂点の座標ｘｙ１，ｘｙ２，ｘｙ３，ｘｙ４のうち、対角に位置する２頂点の組み合わせを含む２頂点以上の座標に対するタッチ操作を含む入力である。また、自動表示制御の開始条件を成立させる入力は、部分画像ＬＡ内の２点ｘｙ２１−ｘｙ２２間を摺動するようなスワイプ操作、ピンチアウト操作ＰＡの少なくともいずれか一方をさらに含んでいてもよい。
【０１０５】
以上説明したように、実施形態によれば、タイミングコントローラ１１０を含む制御部１１が保持ボタン機能部Ｂ１に対する指示入力に応じて初期全体画像５１ａに記憶されている画像のデータを保持させる。これによって、保持された画像を起点とした操作の内容に応じたタッチ検出機能付き表示装置１のリアクションをより容易に確認できる。従って、ユーザーが操作内容を確認可能な表示制御を行うことができる。制御部１１は、外部からの保持領域５１に対する画像データの継続的な更新入力に優先して、指示入力に応じて保持領域５１に記憶される画像データの保持、画像データの更新及び画像データの範囲の少なくとも１つ以上を制御する。ここで、「画像データの保持」の制御とは、例えば保持ボタン機能部Ｂ１の操作に応じて初期全体画像５１ａを保持領域５１で保持させることをさす。また、「画像データの更新」の制御とは、例えばスワイプ操作等の指示入力に応じてスワイプ範囲画像５１ｂ、スワイプ部分画像５１ｃのような表示出力内容を変更するための画像データを生成して保持領域５１の記憶内容を更新することをさす。また、「画像データの範囲」の制御とは、例えば部分画像ＬＡの指定、ピンチアウト操作等に応じて、表示出力内容が拡大された画像になるように変換後画像５２ａとして出力領域５２に出力する画像の範囲を初期全体画像５１ａの一部に限定することをさす。
【０１０６】
また、画像処理部１１１によって、初期全体画像５１ａに記憶されている画像データに画像処理を施して変換後画像５２ａに出力することができる。従って、初期全体画像５１ａに保持された画像を起点とした操作に応じて行われる画像処理をより容易に確認できる。従って、ユーザーが操作内容を確認可能な表示制御を行うことができる。
【０１０７】
また、画像処理部１１１による画像処理は、部分画像ＬＡの頂点の指定又はピンチアウト選択領域ＭＡを対象としたピンチアウト操作ＰＡに応じた拡大表示処理、スワイプ操作に応じたスワイプ表示処理を含む。従って、初期全体画像５１ａに保持された画像を起点とした操作に応じて行われる拡大表示処理、スワイプ表示処理をより容易に確認できる。従って、ユーザーが操作内容を確認可能な表示制御を行うことができる。
【０１０８】
また、一致判定部１１１ｄによって、一致しない画像が誤って表示されることを抑制できる。
【０１０９】
（実施形態１の変形例）
図１９は、タッチ検出機能付き表示装置１を利用する露光装置の主要構成を示す模式図である。タッチ検出機能付き表示装置１からの光を露光に利用するホルダ２００は、筐体２０１と、タッチ検出面接触部２０２と、感光紙ケース２０３と、レールガイド２０４と、ハンドル２０５とを備える。筐体２０１は、表示パネル２０の表示面に対向する一面側（図１９の下側）が開放されている箱状の筐体である。タッチ検出面接触部２０２は、例えば、筐体２０１の一面側において、筐体２０１の開放口の四辺を囲うよう設けられる。タッチ検出面接触部２０２は、タッチ検出デバイス３０と接触することで、タッチ検出デバイス３０に対するタッチ操作として認識される静電容量を生じさせるゴムその他の樹脂が素材として利用された部材である。感光紙ケース２０３は、内部に感光紙を配置可能に設けられた枠体である。レールガイド２０４は、筐体２０１の内部と側方との間で感光紙ケース２０３の位置を移動可能に感光紙ケース２０３を支持する。ハンドル２０５は、レールガイド２０４を介して連結された筐体２０１と感光紙ケース２０３との位置関係を変化させる。ハンドル２０５を一方に回転させると、図１９に示す感光紙ケース２０３と筐体２０１との位置関係から、感光紙ケース２０３が筐体２０１内に移動する。その状態でハンドル２０５を他方に回転させると、感光紙ケース２０３が筐体２０１外に移動して図１９に示す感光紙ケース２０３と筐体２０１との位置関係に戻る。
【０１１０】
感光紙ケース２０３に配置される感光紙は、感光面が一面側になるよう配置される。感光紙ケース２０３が筐体２０１内に移動すると、感光面が開放口から露出する。図１９に示す感光紙ケース２０３と筐体２０１との位置関係にある場合、開放口からの光は感光紙ケース２０３に配置された感光面に当たらないようになっている。
【０１１１】
図２０は、露光に利用される場合のタッチ検出機能付き表示装置１の動作の流れを示すフローチャートである。タッチ検出機能付き表示装置１は、バックライトが点灯しない黒画面の表示状態で待機する（ステップＳ２１）。ホルダ２００には、感光紙が感光紙ケース２０３にセットされる（ステップＳ２２）。ステップＳ２１の処理とステップＳ２２の処理は順不同である。
【０１１２】
タッチ検出デバイス３０がタッチ検出面接触部２０２の接触を感知するまで（ステップＳ２３；Ｎｏ）、タッチ検出機能付き表示装置１はステップＳ２４以降の処理を進行させない。タッチ検出デバイス３０がタッチ検出面接触部２０２の接触を感知すると（ステップＳ２３；Ｙｅｓ）、タイミングコントローラ１１０は、予め定められた待機時間のカウントダウンを行う（ステップＳ２４）。待機時間を示すデータは、例えば上述の不揮発性のメモリに記憶されている。
【０１１３】
待機時間のカウント中に、ユーザーによってハンドル２０５の操作が行われて感光紙ケース２０３が筐体２０１内に移動し、感光面が表示パネル２０の正面側で表示パネル２０と対向する状態になる（ステップＳ２５）。その後、待機時間が経過すると、表示パネル２０に画像が表示されて感光紙の露光処理が行われる（ステップＳ２６）。
【０１１４】
ステップＳ２６で表示される画像は、例えば上述の保持画像である。また、ステップＳ２６で表示される画像は、部分画像ＬＡを拡大した画像や、スワイプ表示処理中の画像、ピンチアウト操作ＰＡに応じてピンチアウト選択領域ＭＡを拡大した画像であってもよい。
【０１１５】
タッチ検出機能付き表示装置１を露光に利用する場合、図１７を参照して説明した各工程の進行と、複数の感光紙の各々に対する露光とを連動させてもよい。例えば、タッチ検出面接触部２０２の形状に対応するタッチ操作が検知される度に、ステップＳ２６の処理で表示される画像を、図１７を参照して説明した工程を１つ進めた画像に遷移させるようにしてもよい。また、タッチ検出面接触部２０２の形状に対応するタッチ操作に代えて、保持ボタン機能部Ｂ１等の入力部に対する操作の回数に応じて工程を進め、ステップＳ２６の処理で表示される画像を遷移させるようにしてもよい。
【０１１６】
また、露光処理によって感光紙に記録される画像は、表示パネル２０の表示画像を鏡面反転させた画像になる。このため、タイミングコントローラ１１０は、露光モードとして、映像信号Ｖｄｉｓｐに基づいた画像データの鏡像に対応する画像のデータを変換後画像５２ａに出力する構成をとってもよい。露光モードの開始トリガーは任意であるが、例えば保持ボタン機能部Ｂ１に対する所定時間の長押しが検知された場合に露光モードに移行する等の処理が考えられる。無論、露光モードに移行するための専用のスイッチ等を設けてもよい。このように、露光モードにおいてタイミングコントローラ１１０が変換後画像５２ａに出力するデータを感光紙への露光に対応した画像のデータにすることができる。
【０１１７】
なお、非特許文献１に記載されているように、インスタントカメラに下記の工程を経ることで即時露光現像できるものが知られている。図２０のフローチャートを参照して説明した処理を行う場合に利用される構造（露光、フィルム展開の過程を実現するための構造）は、非特許文献１と同等のものであってもよい。この場合、フィルムユニットは、写真感剤と感剤を発色させる処理液を内包する袋状のポットなどで構成される。撮影によるフィルムユニットの露光完了後、フィルムユニットの排出動作であるフィルム展開を開始する。フィルムパックからクローによって搬出されたフィルムユニットは、フィルムパック上方で回転している二本の金属ローラーの間に巻き込まれる。回転する金属ローラーに巻き込まれたフィルムユニットの内包ポットは、金属ローラーの圧力で破裂する。そして破裂した内包ポットから処理液が流れ出る。搬送されながら均一に展延された処理液によって現像された感材は画面全体が均質に発色する。処理液の液層厚を規定値に対して数ミクロン以内の精度で制御して処理液をフィルムユニットに展延することで画面全体を均質に発色させることができる。
【０１１８】
（実施形態２）
図２１は、実施形態２に係る拡大処理部１１１ａの主要構成例を示すブロック図である。実施形態２では、上述の実施形態１における画像処理部１１１に代えて、拡大処理部１１１ａが設けられる。実施形態２の他の構成については、実施形態１と同様であるので、説明を省略する。なお、表示装置には、画像処理部１１１と拡大処理部１１１ａとが併設されてもよい。この場合、後述する第１メモリ２１０及び第２メモリ２２０は、上述の保持領域５１及び出力領域５２としてもよい。すなわち、画像処理部１１１と拡大処理部１１１ａは、記憶部を共有してもよい。
【０１１９】
図２１に示す画像データ処理部３１０及び画像データ処理部３１０の動作を制御する平均化制御部３００は、例えば、タイミングコントローラ１１０に設けられるが、タイミングコントローラ１１０から独立して制御部１１内に設けられてもよいし、制御部１１からから独立した回路として設けられてもよい。
【０１２０】
以下の説明において、各構成部間で送受される画像データは、所定の解像度を有し、映像信号Ｖｄｉｓｐの１フレーム期間で表示すべき画素データの集まりである。本実施形態において、画像データの解像度は一定であるものとする。例えば、画像データが１９２０×１０８０ピクセルの解像度を有する場合、画像データは、１９２０×１０８０個の画素データを含む。
【０１２１】
本実施形態において、表示パネル２０は、画像データ処理部３１０から所定のフレームレート（例えば、６０［Ｈｚ］）で出力された画像データに基づき、画像表示を行う。
【０１２２】
図２２は、実施形態２に係る表示装置の表示モードの遷移例を示す図である。図２２に示すように、本実施形態に係る拡大処理部１１１ａは、表示モードとして、通常表示モードと、時間平均画像表示モードと、を有する。
【０１２３】
通常表示モードにおいて、画像データ処理部３１０は、画像データ処理部３１０に入力された第１画像データを出力する。
【０１２４】
時間平均画像表示モードにおいて、画像データ処理部３１０は、本実施形態に係る平均化処理後の第２画像データを出力する。本実施形態に係る平均化処理については、後述する。
【０１２５】
すなわち、本実施形態において、通常表示モードとは、画像データ処理部３１０に入力された第１画像データに対し、本実施形態に係る平均化処理を行わずに出力する表示モードであり、時間平均画像表示モードとは、画像データ処理部３１０に入力された第１画像データに対し、本実施形態に係る平均化処理を行った第２画像データを出力する表示モードである。
【０１２６】
図２１に示すように、画像データ処理部３１０は、第１メモリ２１０と、第２メモリ２２０と、平均化処理部２３０と、バッファメモリ２４０と、画像データ選択部２５０と、記憶部２６０と、データ入力部２７０と、を備える。
【０１２７】
データ入力部２７０は、時間平均画像表示モードにおいて、入力された第１画像データのフレーム間引き処理を行うフレーム間引き処理部２７１を含む。このフレーム間引き処理により、後段の平均化処理部２３０による平均化処理にかかる演算量を抑制することができる。なお、フレーム間引き処理部２７１は、通常表示モードにおいて、入力された第１画像データのフレーム間引き処理を行わない。
【０１２８】
第１メモリ２１０及び第２メモリ２２０は、例えば、ＤＲＡＭ等で構成されたＶＲＡＭである。
【０１２９】
第１メモリ２１０は、入力された第１画像データの１フレーム分の第１の画素データを格納する。また、第１メモリ２１０は、格納した各第１の画素データを平均化処理部２３０及び画像データ選択部２５０に出力する。以下、第１メモリ２１０に格納される各第１の画素データの画素値をＹｎ（ｎは、ｎフレーム目の画素値であることを示す）とする。本実施形態において、画素値とは、画素毎の画像データの階調値を示す。画像データの階調値とは、各画素における輝度に対応する値である。
【０１３０】
第２メモリ２２０は、平均化処理部２３０による平均化処理後の１フレーム分の画素データを第２の画像データとして格納する。また、第２メモリ２２０は、格納した各第２の画素データを平均化処理部２３０に出力する。以下、平均化処理部２３０による平均化処理後に第２メモリ２２０に格納される各第２の画素データの画素値をＸｎとする。
【０１３１】
平均化処理部２３０は、第１メモリ２１０に格納された第１の画素データ、及び、第２メモリ２２０に格納された第２の画素データを、それぞれ１ラインずつ読み出し、第１の画素データの画素値Ｙｎと第２の画素データの画素値Ｘｎ−１との平均化処理を行う。また、平均化処理部２３０は、平均化処理後の画素値Ｘｎを第２メモリ２２０に書き戻すと共に、後段のバッファメモリ２４０に出力する。
【０１３２】
バッファメモリ２４０は、平均化処理部２３０から出力された１ライン分の各第２の画素データの画素値Ｘｎを格納し、画像データ選択部２５０に出力する。
【０１３３】
画像データ選択部２５０は、第１メモリ２１０から入力された第１画像データ及びバッファメモリ２４０から入力された第２画像データのいずれか一方を選択して出力する。具体的に、画像データ選択部２５０は、通常表示モードにおいて第１画像データを選択し、時間平均画像表示モードにおいて第２画像データを選択する。
【０１３４】
記憶部２６０には、平均化処理部２３０による平均化処理のための情報が格納される。
【０１３５】
次に、各表示モードにおける動作及び表示モード間の切り替えについて説明する。なお、図２２に示す各表示モード間の切り替えは、平均化制御部３００が行う。
【０１３６】
具体的には、例えば、ユーザーがタッチ検出デバイス３０を操作して、時間平均画像表示モードの「ＯＮ」を選択することにより、平均化制御部３００は、時間平均画像表示モードでの表示を行うように、画像データ処理部３１０を制御する。時間平均画像表示モードの「ＯＮ」には、例えば上述の保持ボタン機能部Ｂ１を利用できる。
【０１３７】
また、例えば、ユーザーがタッチ検出デバイス３０を操作して、時間平均画像表示モードの「ＯＦＦ」を選択することにより、平均化制御部３００は、通常表示モードでの表示を行うように、画像データ処理部３１０を制御する。時間平均画像表示モードの「ＯＦＦ」には、例えば上述の保持解除ボタン機能部Ｂ２を利用できる。
【０１３８】
なお、ユーザーによる表示モードの切り替えは、タッチ検出デバイス３０がハードウェアボタンである場合には、ハードウェアボタンを押した回数あるいは時間経過等に応じて切り替える態様であっても良い。また、ユーザーによる表示モードの切り替えは、タッチ検出デバイス３０がタッチセンサである場合には、表示パネル２０に表示されたアイコンへのタッチ操作や所定のジェスチャに応じて切り替える態様であっても良い。ユーザーによる表示モードの切り替え手法により本発明が限定されるものではない。
【０１３９】
通常表示モードにおいて、平均化制御部３００は、画像データ処理部３１０に対し、通常表示動作指令を出力する。
【０１４０】
フレーム間引き処理部２７１は、通常表示動作指令に基づき、入力された第１画像データのフレーム間引き処理を停止する。
【０１４１】
平均化処理部２３０は、通常表示動作指令に基づき、平均化処理を停止する。
【０１４２】
画像データ選択部２５０は、通常表示動作指令に基づき、第１メモリ２１０から出力される第１画像データを選択して出力する。
【０１４３】
これにより、画像データ処理部３１０に入力された第１画像データが出力され、通常表示モードで画像表示が行われる。
【０１４４】
時間平均画像表示モードにおいて、平均化制御部３００は、画像データ処理部３１０に対し、時間平均画像表示動作指令を出力する。
【０１４５】
フレーム間引き処理部２７１は、時間平均画像表示動作指令に基づき、入力された第１画像データのフレーム間引き処理を行う。具体的には、例えば、表示パネル２０によって画像表示を行う際のフレームレート（例えば、６０［Ｈｚ］）よりも小さいフレームレート（例えば、４０「Ｈｚ」）となるように、フレーム間引き処理を行う。これにより、後段の平均化処理部２３０による平均化処理にかかる演算量を抑制することができる。なお、フレーム間引き処理後のフレームレートは、表示パネル２０によって画像表示を行う際のフレームレートに対して非同期であることが好ましい。これにより、ティアリング線が拡散される。このフレーム間引き処理は、ユーザーがタッチ検出デバイス３０を操作することにより、フレーム間引き処理を行うか否かを選択することができる態様であっても良い。
【０１４６】
平均化処理部２３０は、時間平均画像表示動作指令に基づき、平均化処理を行う。
【０１４７】
画像データ選択部２５０は、時間平均画像表示動作指令に基づき、バッファメモリ２４０から出力される第２画像データを選択して出力する。
【０１４８】
これにより、平均化処理部２３０による平均化処理後の第２画像データが出力され、時間平均画像表示モードで画像表示が行われる。
【０１４９】
以下、平均化処理について説明する。
【０１５０】
例えば、下記（１）式を用いた加重平均処理により、ｎフレーム目の第２の画素データの画素値Ｘｎを算出することができる。
【０１５１】
Ｘｎ＝｛αＸｎ−１β＋（１−α）Ｙｎβ｝（１／β）・・・（１）
【０１５２】
上記（１）式において、αは、平均化処理を行う際の重み係数である。重み係数αは、０≦α＜１の範囲で複数の値を設けるものとする。例えば、２０個の値が所定の刻み幅１／２０ステップで設定されていても良い。
【０１５３】
また、上記（１）式において、βは、例えばガンマ補正におけるガンマ値である。このガンマ値は、例えば、２．２であっても良いし、異なる値であっても良い。また、βの値は、レジスタ設定等により外部から設定可能な態様としても良い。
【０１５４】
上記（１）式において、重み係数αを適切に設定することにより、第１画像データの急峻な変動が抑制された第２画像データが得られ、画像表示のちらつきを抑制することができる。
【０１５５】
なお、上記（１）式では、指数処理を含んでいるため、平均化処理にかかる演算量が多くなる。このため、本実施形態において、平均化処理部２３０は、上記（１）式を線形近似した下記（２）式及び（３）式を用いて、ｎフレーム目の第２の画素データの画素値Ｘｎを算出する。具体的に、平均化処理部２３０は、ｎ−１フレーム目の第２の画素データの画素値Ｘｎ−１がｎフレーム目の第１の画素データの画素値Ｙｎ以上（Ｘｎ−１≧Ｙｎ）である場合には、下記（２）式を用いてｎフレーム目の第２の画素データの画素値Ｘｎを算出し、ｎ−１フレーム目の第２の画素データの画素値Ｘｎ−１がｎフレーム目の第１の画素データの画素値Ｙｎ未満（Ｘｎ−１＜Ｙｎ）である場合には、下記（３）式を用いてｎフレーム目の第２の画素データの画素値Ｘｎを算出する。
【０１５６】
Ｘｎ＝α（１／β）Ｘｎ−１＋｛１−α（１／β）｝Ｙｎ・・・（２）
【０１５７】
Ｘｎ＝｛１−（１−α）（１／β）｝Ｘｎ−１＋（１−α）（１／β）Ｙｎ・・・（３）
【０１５８】
ここで、Ａ＝α（１／β）、Ｂ＝１−α（１／β）、Ｃ＝１−（１−α）（１／β）、Ｄ＝（１−α）（１／β）とすると、上記（２）式及び（３）式は、下記（２’）式及び（３’）式に一般化できる。
【０１５９】
Ｘｎ＝ＡＸｎ−１＋ＢＹｎ・・・（２’）
【０１６０】
Ｘｎ＝ＣＸｎ−１＋ＤＹｎ・・・（３’）
【０１６１】
以上説明したように、実施形態２に係る拡大処理部１１１ａは、複数の第１の画素データを含む第１画像データを格納する第１メモリ２１０と、複数の第２の画素データを含む第２画像データを格納する第２メモリ２２０と、フレーム毎に第１の画素データの画素値と第２の画素データの画素値との平均化処理を行う平均化処理部２３０と、第１画像データ又は第２画像データに基づき、画像を表示する表示パネル２０と、を備える。平均化処理部２３０は、第１メモリ２１０に格納されたｎフレーム目の第１の画素データの画素値Ｙｎと、第２メモリ２２０に格納されたｎ−１フレーム目の平均化処理後の第２の画素データの画素値Ｘｎ−１との平均化処理を行い、当該平均化処理後の画素値Ｘｎを、ｎフレーム目の第２の画素データとして出力すると共に第２メモリ２２０に書き戻す。
【０１６２】
上記構成により、第１画像データの急峻な変化によるちらつきを抑制した第２画像データによる画像表示を実現することができる。
【０１６３】
また、平均化処理部２３０は、ｎフレーム目の第１の画素データの画素値Ｙｎ及びｎ−１フレーム目の第２の画素データの画素値Ｘｎ−１の上位の所定ビット数のデータを用いて平均化処理を行い、当該平均化処理後のｎフレーム目の第２の画素データの画素値Ｘｎの残りの下位のビット数のデータとして、ｎフレーム目の第１の画素データの画素値Ｙｎの残りの下位のビット数のデータを適用する。
【０１６４】
これにより、画素値Ｘｎ−１及び画素値Ｙｎの全８ｂｉｔを用いて平均化処理を行う場合よりも、平均化処理部２３０による平均化処理にかかる演算量を抑制することができる。
【０１６５】
また、第１メモリ２１０に入力する第１画像データのフレーム間引き処理を行うフレーム間引き処理部２７１と、第１画像データ及び第２画像データのいずれか一方を選択して出力する画像データ選択部２５０と、を備える。フレーム間引き処理部２７１は、画像データ選択部２５０によって第２画像データが選択されているとき、フレーム間引き処理を行う。
【０１６６】
これにより、後段の平均化処理部２３０による平均化処理にかかる演算量を抑制することができる。
【０１６７】
本実施形態により、第１画像データの急峻な変化による画像表示のちらつきを抑制した第２画像データによる画像表示が可能な拡大処理部１１１ａを得ることができる。
【０１６８】
なお、上述のタッチ検出機能付き表示装置１は、表示パネル２０とタッチ検出デバイス３０とが一体化された所謂インセル方式であるが、表示装置の具体的な形態はこれに限られるものでない。表示パネル２０から独立して設けられたタッチ検出デバイス３０が表示パネル２０と重畳するよう配置された所謂オンセル方式が採用されてもよい。
【０１６９】
また、上述の説明では、表示パネル２０が透過型のカラー液晶表示パネルである場合を例示したが、これに限られるものでない。その他の表示装置の適用例として、半透過型又は反射型の液晶表示装置、有機エレクトロルミネセンス（ＥＬ：Electroluminescence）を利用した表示装置、その他の自発光型表示装置、あるいは電気泳動素子等を有する電子ペーパー型表示装置等、あらゆるフラットパネル型の画像表示装置が挙げられる。また、中小型から大型まで、特に限定することなく適用が可能であることは言うまでもない。自発光型表示装置の場合、上述のバックライトの制御は、自発光型表示装置の発光強度制御に置換される。
【０１７０】
また、本実施形態において述べた態様によりもたらされる他の作用効果について本明細書記載から明らかなもの、又は当業者において適宜想到し得るものについては、当然に本発明によりもたらされるものと解される。
【符号の説明】
【０１７１】
１  タッチ検出機能付き表示装置
２０  表示パネル
３０  タッチ検出デバイス
１１  制御部
５０  ＶＲＡＭ
５１  保持領域
５１ａ  初期全体画像
５１ｂ  スワイプ範囲画像
５１ｃ  スワイプ部分画像
５２  出力領域
１１０  タイミングコントローラ
１１１  画像処理部
１１１ａ  拡大処理部
１１１ｂ  スワイプ処理部
１１１ｃ  スワイプシフト処理部
１１１ｄ  一致判定部
Ｂ１  保持ボタン機能部
Ｂ２  保持解除ボタン機能部
【図１】
2020118939.tif 000003
【図２】
2020118939.tif 000004
【図３】
2020118939.tif 000005
【図４】
2020118939.tif 000006
【図５】
2020118939.tif 000007
【図６】
2020118939.tif 000008
【図７】
2020118939.tif 000009
【図８】
2020118939.tif 000010
【図９】
2020118939.tif 000011
【図１０】
2020118939.tif 000012
【図１１】
2020118939.tif 000013
【図１２】
2020118939.tif 000014
【図１３】
2020118939.tif 000015
【図１４】
2020118939.tif 000016
【図１５】
2020118939.tif 000017
【図１６】
2020118939.tif 000018
【図１７】
2020118939.tif 000019
【図１８】
2020118939.tif 000020
【図１９】
2020118939.tif 000021
【図２０】
2020118939.tif 000022
【図２１】
2020118939.tif 000023
【図２２】
2020118939.tif 000024